(57)【要約】【課題】  受信が選択されたときに、外部にカードが接続されていないか、または、外部カードの接続があっても外部カードへの書込が禁止されている場合、色空間ｓＹＣＣのＪＰＥＧファイル情報を、内部メモリに格納するのではなく、外部接続されているメモリに確実に格納することができ、再利用が可能であるファクシミリ装置およびファクシミリ通信方法を提供することを目的とする。【解決手段】  前手順で、色空間ｓＹＣＣでのＪＰＥＧ符号化情報の受信機能の有無を通知し、色空間ｓＹＣＣでのＪＰＥＧ符号化情報の送信を、送信機から受信機に指定し、外部カードを接続し、上記外部カードへの書込を禁止し、受信が選択されたときに、上記外部カードが接続され、かつ、上記外部カードへの書込が禁止されていないときに、色空間ｓＹＣＣのＪＰＥＧ情報の受信機能有りを宣言するものである。【選択図】  図１
2006093785.tif 000002
【特許請求の範囲】
【請求項１】
色空間ｓＹＣＣのＪＰＥＧ情報を通信可能なファクシミリ装置において、
前手順で、色空間ｓＹＣＣでのＪＰＥＧ符号化情報の受信機能の有無を通知する通知手段と；
色空間ｓＹＣＣでのＪＰＥＧ符号化情報の送信を、送信機から受信機に指定する指定手段と；
外部カードを接続する外部カード接続手段と；
上記外部カードへの書込を禁止する書込禁止手段と；
受信が選択されたときに、上記外部カードが接続され、かつ、上記外部カードへの書込が禁止されていないときに、色空間ｓＹＣＣのＪＰＥＧ情報の受信機能有りを宣言する宣言手段と；
を有することを特徴とするファクシミリ装置。
【請求項２】
請求項１において、
受信が選択された場合、上記外部カードが接続されていないときか、または、上記外部カードが接続されていても上記外部カードへの書込が禁止されているときに、色空間ｓＹＣＣのＪＰＥＧ情報の受信機能無しを宣言することを特徴とするファクシミリ装置。
【請求項３】
請求項１または請求項２において、
デジタルスチルカメラ情報をプリントすることを選択する選択手段を有し、上記デジタルスチルカメラ情報のプリントが選択されたときには、受信情報を上記外部カードへ書き込むことを禁止することを特徴とするファクシミリ装置。
【請求項４】
色空間ｓＹＣＣのＪＰＥＧ情報を通信可能なファクシミリ通信方法において、
前手順で、色空間ｓＹＣＣでのＪＰＥＧ符号化情報の受信機能の有無を通知する通知ステップと；
色空間ｓＹＣＣでのＪＰＥＧ符号化情報の送信を、送信機から受信機に指定する指定ステップと；
外部カードを接続する外部カード接続ステップと；
上記外部カードへの書込を禁止する書込禁止ステップと；
受信が選択されたときに、上記外部カードが接続され、かつ、上記外部カードへの書込が禁止されていないときに、色空間ｓＹＣＣのＪＰＥＧ情報の受信機能有りを宣言する宣言ステップと；
を有することを特徴とするファクシミリ通信方法。
【請求項５】
請求項４において、
受信が選択された場合、上記外部カードが接続されていないときか、または、上記外部カードが接続されていても上記外部カードへの書込が禁止されているときに、色空間ｓＹＣＣのＪＰＥＧ情報の受信機能無しを宣言することを特徴とするファクシミリ通信方法。
【請求項６】
請求項４または請求項５において、
デジタルスチルカメラ情報をプリントすることを選択する選択ステップを有し、上記デジタルスチルカメラ情報のプリントが選択されたときには、受信情報を上記外部カードへ書き込むことを禁止することを特徴とするファクシミリ通信方法。
【発明の詳細な説明】
【技術分野】
【０００１】
本発明は、ファクシミリ装置に係り、特に、ＪＰＥＧ情報を通信可能なファクシミリ装置に関する。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決められ、色空間Ｌａｂでのカラー通信である。色空間Ｌａｂでのカラー通信を使用して、カラー原稿情報を読み取り、送信し、受信機において、受信し、カラープリントを実行する（たとえば、特許文献１参照）。
【０００３】
最近は、デジタルカメラが普及し、デジタルカメラで撮影した情報をそのままファクシミリプロトコルを使用して送信したいというニーズが高まっている。これに伴い、デジタルカメラで使用している色空間は、Ｌａｂでなく、色空間ｓＹＣＣでのカラー通信である（たとえば、特許文献２参照）。このために、色空間ｓＹＣＣでのＪＰＥＧ符号化情報をそのまま送信するプロトコルがＩＴＵ−Ｔにて、標準化されている。
【特許文献１】特開平６−１２５４７０号公報
【特許文献２】特開２００３−３７７４１号公報
【発明の開示】
【発明が解決しようとする課題】
【０００４】
図８は、従来のファクシミリ装置の動作説明図である。
【０００５】
送信機側のファクシミリ装置１００では、カラー原稿情報を送信すること、または、カードスロットを介したコンパクトフラッシュ（登録商標）カード１０６に格納されているデジタルスチルカメラ情報を送信することが考えられる。
【０００６】
一方、受信機側のファクシミリ装置２００では、受信したカラー情報をプリンタ２０８でプリントすること、または、カードスロットを介してデジタルスチルカメラ情報をコンパクトフラッシュ（登録商標）カード２０６へ受信することが考えられる。
【０００７】
一般的には、送信機側のファクシミリ装置１００で、カラー原稿情報の送信が選択されると、受信機側のファクシミリ装置２００では、カラープリントし、一方、送信機側のファクシミリ装置１００で、カードスロットを介してコンパクトフラッシュ（登録商標）カード１００に格納されているデジタルスチルカメラ情報を送信することが選択されると、受信機側のファクシミリ装置２００では、カードスロットを介してデジタルスチルカメラ情報をコンパクトフラッシュ（登録商標）カード２０６が受信する。
【０００８】
したがって、従来は、色空間ｓＹＣＣのＪＰＥＧフルカラー送信を考えると、基本的には、カラー原稿情報を送信するのでは無く、デジタルカメラ１２０で撮影し、コンパクトフラッシュ（登録商標）カード１０６に格納されているファイル情報を送信するケースが多い。
【０００９】
この場合、色空間Ｌａｂでカラー原稿情報を送信するときに比べ、送信する解像度も高いことが多く、一般に、これらの情報を全て、プリンタ２０８でプリントすると、モノクロ情報に比べ、インク等の使用量も多く、無駄になることがある。また、送信機側のファクシミリ装置１００で、デジタルスチルカメラ１２０で撮影した情報を送信したときに、受信機側のファクシミリ装置２００でも、外部接続されているカード２０６にアップロードし、必要に応じて、保存、または、プリントしたいという要求があるが、この要求を満たすことができないという問題がある。
【００１０】
本発明は、受信が選択されたときに、外部にカードが接続されていないか、または、外部カードの接続があっても外部カードへの書込が禁止されている場合、色空間ｓＹＣＣのＪＰＥＧファイル情報を、内部メモリに格納するのではなく、外部接続されているメモリに確実に格納することができ、再利用が可能であるファクシミリ装置およびファクシミリ通信方法を提供することを目的とするものである。
【課題を解決するための手段】
【００１１】
本発明は、前手順で、色空間ｓＹＣＣでのＪＰＥＧ符号化情報の受信機能の有無を通知し、色空間ｓＹＣＣでのＪＰＥＧ符号化情報の送信を、送信機から受信機に指定し、外部カードを接続し、上記外部カードへの書込を禁止し、受信が選択されたときに、上記外部カードが接続され、かつ、上記外部カードへの書込が禁止されていないときに、色空間ｓＹＣＣのＪＰＥＧ情報の受信機能有りを宣言するものである。
【発明の効果】
【００１２】
本発明によれば、受信が選択されたときに、外部にカードが接続されていないか、または、外部カードの接続があっても外部カードへの書込が禁止されている場合、色空間ｓＹＣＣのＪＰＥＧ情報の受信機能が無いことを宣言するので、色空間ｓＹＣＣのＪＰＥＧファイル情報を、内部メモリに格納するのではなく、外部接続されているメモリに確実に格納することができ、再利用が可能であるという効果を奏する。
【発明を実施するための最良の形態】
【００１３】
発明を実施するための最良の形態は、次の実施例である。
【実施例１】
【００１４】
図１は、本発明の実施例１であるファクシミリ装置ＦＳ１を示すブロック図である。
【００１５】
ファクシミリ装置ＦＳ１は、ＮＣＵ２と、ハイブリッド回路６と、変復調器８と、発呼回路１０と、加算回路１２と、読取回路１４と、記録回路１６と、メモリ回路１８と、操作部２０と、ＣＰＵ２２と、ＲＯＭ２４と、カードインタフェース２８とを有する。
【００１６】
ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【００１７】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１８】
変復調器８は、ＩＴＵ−Ｔ勧告Ｖ．８、Ｖ．２１、Ｖ２７ｔｅｒ、Ｖ．２９、Ｖ．１７、Ｖ．３４に基づいた変調および復調を行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１９】
発呼回路１０は、バス２６からの信号によって、電話番号情報を入力し、信号線１０ａにＤＴＭＦの選択信号を出力する。
【００２０】
加算回路１２は、信号線８ａの情報と信号線１０ａの情報とを入力し、加算した結果を信号線１２ａに出力する。
【００２１】
読取回路１４は、カラー読み取り可能であり、読み取りデータをバス２６に出力する。
【００２２】
記録回路１６は、カラー記録可能であり、バス２６に出力されている情報を順次１ライン毎に記録する。
【００２３】
メモリ回路１８は、ワーク用のメモリ（ＲＡＭ）、さらに、読み取りデータの生情報、または、符号化した情報を格納し、また、受信情報、または、復号化した情報等をバス２６を介して格納する。
【００２４】
操作部２０は、ワンタッチダイヤル、短縮ダイヤル、テンキー、＊キー、＃キー、スタートキー、ストップキー、セットキー、ファイル情報の送信を選択するキー、カラー情報送信選択キー、外部接続のＣＦカードへの書き込み禁止選択キー、その他のファクションキーがあり、押下されたキー情報は、バス２６に出力される。
【００２５】
操作部２０には、表示部が設けられ、バス２６に出力されている情報を入力し、表示する。
【００２６】
ＣＰＵ（中央処理装置）２２は、ファクシミリ全体の制御をし、ファクシミリ伝送制御手段を実行するものであり、その制御プログラムは、ＲＯＭ２４に格納されている。
【００２７】
カードインタフェース２８は、カード３０がセットされる。カード３０は、たとえば、デジタルカメラで撮影した情報が記憶されているコンパクトフラッシュ（登録商標）カードである。
【００２８】
図２は、実施例１において、カラー関連のビット情報、さらに、新規にＩＴＵ−Ｔ勧告Ｔ．３０に追加する情報を示す図である。
【００２９】
ＤＩＳ／ＤＴＣ信号のＦＩＦの６８ビットによって、色空間ＬａｂでのＪＰＥＧ符号化での受信機能の有無を通知し、ＤＣＳ信号のＦＩＦの６８ビットによって、色空間ＬａｂでのＪＰＥＧ符号化での送信を指定する。
【００３０】
また、ＤＩＳ／ＤＴＣ信号のＦＩＦの６９ビットによって、色空間はＬａｂであるフルカラー受信機能の有無を通知し、ＤＣＳ信号のＦＩＦの６９ビットによって、色空間はＬａｂであるフルカラー送信を指定する。
【００３１】
ＤＩＳ／ＤＴＣ信号のＦＩＦのＸビットによって、色空間ｓＹＣＣでのＪＥＰＧ符号化受信機能の有無を通知し、ＤＣＳ信号のＦＩＦのＸビットによって、色空間ｓＹＣＣでのＪＰＥＧ符号化送信を指定する。
【００３２】
ＲＯＭ２４は、前手順で、色空間ｓＹＣＣでのＪＰＥＧ符号化情報の受信機能の有無を通知する通知手段と、色空間ｓＹＣＣでのＪＰＥＧ符号化情報の送信を、送信機から受信機に指定する指定手段と、外部カードを接続する外部カード接続手段と、上記外部カードへの書込を禁止する書込禁止手段と、受信が選択されたときに、上記外部カードが接続され、かつ、上記外部カードへの書込が禁止されていないときに、色空間ｓＹＣＣのＪＰＥＧ情報の受信機能有りを宣言する宣言手段とを実現する制御プログラムを格納している。
【００３３】
また、ＲＯＭ２４は、受信が選択されたときに、外部にカードが接続されていないか、または、外部カードの接続があっても外部カードへの書込が禁止されているときに、色空間ｓＹＣＣのＪＰＥＧ情報の受信機能無しを宣言する制御プログラムを格納している。
【００３４】
次に、実施例１の動作について説明する。
【００３５】
図３、図４、図５は、実施例１の動作を示すフローチャートである。
【００３６】
Ｓ２では、バス２６を介して、メモリ１８をイニシャライズし、Ｓ４では、バス２６を介して、操作部の表示部をクリアし、Ｓ６では、バス２６を介して、ＮＣＵ２のＣＭＬをオフする。
【００３７】
Ｓ８では、ファクシミリ受信が選択されたか否かを判断し、ファクシミリ受信が選択されていれば、Ｓ１２に進み、ファクシミリ受信が選択されていないと、Ｓ１０に進み、その他の処理をする。
【００３８】
Ｓ１２では、バス２６を介して、ＮＣＵ２のＣＭＬをオンする。Ｓ１４では、外部接続のＣＦ（コンパクトフラッシュ（登録商標））カードが接続されているか否かを判断し、外部接続のＣＦカードが接続されていれば、Ｓ１６に進み、外部接続のＣＦカードが接続されていなければ、Ｓ２８に進む。
【００３９】
Ｓ１６では、操作部の情報を入力し、外部接続のＣＦカードへの書込が禁止されているか否かを判断し、外部接続のＣＦカードへの書込が禁止されていれば、Ｓ２８に進み、外部接続のＣＦカードへの書込が禁止されていなければ、Ｓ１８に進む。
【００４０】
受信が選択されたときに、外部にカードが接続されていないか、または、外部カードの接続があっても外部カードへの書込が禁止されているときに、色空間ｓＹＣＣのＪＰＥＧ情報の受信機能無しを宣言するので、色空間ｓＹＣＣのＪＰＥＧファイル情報は、内部メモリに格納するのではなく、外部接続されているメモリに確実に格納することができ、再利用が可能である。
【００４１】
ここで、上記実施例は、外部接続メモリへの書込が禁止されている場合に、色空間ｓＹＣＣのＪＰＥＧ受信機能を無しとする点が、ポイントであり、これによって、上記制御を確実に実行できる。そして、色空間ｓＹＣＣのＪＰＥＧ情報を、本体のメモリに受信し、メモリがオーバフローするという弊害が生じない。
【００４２】
Ｓ１８では、外部接続のＣＦカードは、所定容量以上の空きエリアがあるか否かを判断し、外部接続のＣＦカードにおいて所定容量以上の空きエリアがあれば、Ｓ２０に進み、外部接続のＣＦカードにおいて所定容量以上の空きエリアがなければ、Ｓ２８に進む。
【００４３】
Ｓ２０では、前手順を実行する。ここで、ＤＩＳ信号のＦＩＦの６８、６９、Ｘビットを１にする。
【００４４】
Ｓ２２では、ＤＣＳ信号のＦＩＦのＸビットが１であるか否かを判断し、ＤＣＳ信号のＦＩＦのＸビットが１であれば、Ｓ２４に進み、ＤＣＳ信号のＦＩＦのＸビットが１でなければ、Ｓ３０に進む。
【００４５】
Ｓ２４では、色空間ｓＹＣＣのＪＰＥＧ符号化ファイル情報を、受信／ＣＦカードへ格納し、Ｓ２６では、後手順を実行し、Ｓ２８では、前手順を実行する。ここで、ＤＩＳ信号のＦＩＦの６８、６９ビットを１とし、Ｘビットを０にする。
【００４６】
Ｓ３０では、ＤＣＳ信号のＦＩＦの６８、６９ビットがともに１であるか否かを判断し、ＤＣＳ信号のＦＩＦの６８、６９ビットがともに１であれば、Ｓ３４に進み、ＤＣＳ信号のＦＩＦの６８、６９ビットの少なくとも一方が０であれば、Ｓ３２に進む。
【００４７】
Ｓ３２では、モノクロ情報を受信し、プリントし、Ｓ３４では、色空間ＬａｂのＪＰＥＧ符号化のフルカラー情報を受信し、プリントし、Ｓ３６では、後手順を実行する。
【実施例２】
【００４８】
実施例２は、実施例１において、デジタルカメラ情報をプリントすることを選択する手段を有し、デジタルスチルカメラ情報のプリントが選択されているときに、受信情報の外部カードへの書込を禁止する実施例である。
【００４９】
図６、図７は、実施例２の動作を示すフローチャートであり、図３〜図５に示すフローチャートと異なる部分のみを示すフローチャチャートである。
【００５０】
ここでは、図３〜図５に示すステップＳ８の判断以降の受信ＪＯＢ（Ｓ８〜Ｓ３６）に、デジタルスチルカメラ情報のプリントＪＯＢ（Ｓ４４〜Ｓ５８、Ｓ６０、Ｓ６２）を加え、これらＪＯＢがマルチタスクで実行される。つまり、ステップＳ８〜Ｓ３６の処理と、ステップＳ４４〜Ｓ５８、Ｓ６０、Ｓ６２の処理とが並行処理される。
【００５１】
つまり、デジタルスチルカメラ情報プリントＪＯＢ（Ｓ４４〜Ｓ６２）が動作中に、マルチタスクで、受信ＪＯＢ（Ｓ４０、Ｓ４２）が起動し、受信が開始される。この場合、ＣＦカードに記憶されている画像データのプリント中であるので、上記ＣＦカードには、受信した画像を記憶させたくないので、Ｓ６０で、ＣＦカードへの受信画像の記憶を禁止する。
【００５２】
図６において、Ｓ４０は、受信ＪＯＢを表している。Ｓ４２では、Ｓ８での判断と、Ｓ１２〜Ｓ３６での動作とを実行する。Ｓ４４では、デジタルスチルカメラ情報のプリントＪＯＢを実行し、Ｓ４６では、操作部の情報を入力し、外部接続のＣＦカード情報のプリントが選択されているか否かを判断し、外部接続のＣＦカード情報のプリントが選択されていれば、Ｓ４８に進み、外部接続のＣＦカード情報のプリントが選択されていなければ、Ｓ５８に進み、Ｓ６に戻る。つまり、マルチタスクで、受信ＪＯＢ（Ｓ４０、Ｓ４２）とデジタルスチルカメラ情報プリントＪＯＢ（Ｓ４４〜Ｓ６２）とが動作する。
【００５３】
Ｓ４８では、外部のＣＦ（コンパクトフラッシュ（登録商標））カードが接続されているか否かを判断し、外部のＣＦカードが接続されていれば、Ｓ５０に進み、外部のＣＦカードが接続されていなければ、Ｓ５８に進む。
【００５４】
Ｓ５０では、色空間ｓＹＣＣの受信等、外部接続されているＣＦカードにアクセスがあるか否かを判断し、外部接続されているＣＦカードにアクセスがあれば、Ｓ５８に進み、外部接続されているＣＦカードにアクセスがなければ、Ｓ６０に進む。
【００５５】
Ｓ６４ではＳ６を表し、Ｓ６６では、マルチタスク処理を実行する。
【００５６】
上記実施例において、デジタルスチルカメラ情報のプリントが選択されているときには、デジタルカメラで撮影したカードを外部接続メモリに装着した後に、プリント動作を選択し、この場合、受信情報の外部カードへの書込を禁止し、受信時に、色空間ｓＹＣＣのＪＰＥＧ受信機能を無くすことが特徴である。この特徴によって、色空間ｓＹＣＣのＪＰＥＧファイル情報を、内部メモリに格納せずに、外部接続されているメモリに確実に格納することができ、再利用が可能である。そして、色空間ｓＹＣＣのＪＰＥＧ情報を、本体のメモリに受信し、メモリがオーバフローすることがない。
【００５７】
つまり、上記実施例によれば、受信が選択されたときに、外部にカードが接続されていないか、または、外部カードが接続されていても外部カードへの書込が禁止されている場合、色空間ｓＹＣＣのＪＰＥＧ情報の受信機能が無いことを宣言するので、色空間ｓＹＣＣのＪＰＥＧファイル情報を、内部メモリに格納するのではなく、外部接続されているメモリに確実に格納することができ、再利用が可能である。
【００５８】
なお、上記実施例であるファクシミリ装置を、ファクシミリ通信方法に適用するようにしてもよい。
【００５９】
つまり、上記実施例は、色空間ｓＹＣＣのＪＰＥＧ情報を通信可能なファクシミリ通信方法において、前手順で、色空間ｓＹＣＣでのＪＰＥＧ符号化情報の受信機能の有無を通知する通知ステップと、色空間ｓＹＣＣでのＪＰＥＧ符号化情報の送信を、送信機から受信機に指定する指定ステップと、外部カードを接続する外部カード接続ステップと、上記外部カードへの書込を禁止する書込禁止ステップと、受信が選択されたときに、上記外部カードが接続され、かつ、上記外部カードへの書込が禁止されていないときに、色空間ｓＹＣＣのＪＰＥＧ情報の受信機能有りを宣言する宣言ステップとを有するファクシミリ通信方法の例である。
【００６０】
この場合、受信が選択された場合、上記外部カードが接続されていないときか、または、上記外部カードが接続されていても上記外部カードへの書込が禁止されているときに、色空間ｓＹＣＣのＪＰＥＧ情報の受信機能無しを宣言するようにしてもよい。
【００６１】
また、デジタルスチルカメラ情報をプリントすることを選択する選択ステップを有し、上記デジタルスチルカメラ情報のプリントが選択されたときには、受信情報を上記外部カードへ書き込むことを禁止するようにしてもよい。
【図面の簡単な説明】
【００６２】
【図１】本発明の実施例１であるファクシミリ装置ＦＳ１のブロック図である。
【図２】実施例１において、カラー関連のビット情報、さらに、新規にＩＴＵ−Ｔ勧告Ｔ．３０に追加する情報を示す図である。
【図３】実施例１の動作を示すフローチャートである。
【図４】実施例１の動作を示すフローチャートである。
【図５】実施例１の動作を示すフローチャートである。
【図６】実施例２の動作を示すフローチャートであり、図３〜図５に示すフローチャートと異なる部分のみを示すフローチャチャートである。
【図７】実施例２の動作を示すフローチャートであり、図３〜図５に示すフローチャートと異なる部分のみを示すフローチャチャートである。
【図８】従来のファクシミリ装置の動作説明図である。
【符号の説明】
【００６３】
ＦＳ１…ファクシミリ装置、
４…電話機、
８…変復調器、
１０…発呼回路、
１２…加算回路、
１４…読取回路、
１６…記録回路、
１８…メモリ、
２０…操作部、
２２…ＣＰＵ、
２４…ＲＯＭ、
２８…カードインタフェース。
【図１】
2006093785.tif 000003
【図２】
2006093785.tif 000004
【図３】
2006093785.tif 000005
【図４】
2006093785.tif 000006
【図５】
2006093785.tif 000007
【図６】
2006093785.tif 000008
【図７】
2006093785.tif 000009
【図８】
2006093785.tif 000010